(57)【特許請求の範囲】
【請求項１】
消弧室内に所定間隔を保って固定配置された一対の固定接触子と、
該一対の固定接触子に対して接離可能に配設された可動接触子と、
前記固定接触子と前記可動接触子の開閉方向と直交し、且つ当該可動接触子の長手方向と直交する方向にアークを駆動させるアーク消弧用永久磁石とを備え、
前記可動接触子に、前記一対の固定接触子から離間する開極時に発生するアークの足の当該固定接触子から離れる方向への移動を促進するアーク足移動促進部を形成し、
前記アーク足移動促進部は、前記可動接触子の長手方向と直交する両側面から、前記一対の固定接触子側とは反対側に突出延長するアークランナーで構成されていることを特徴とする接点装置。
【請求項２】
前記アークランナーは、前記可動接触子の側面を覆うように形成されていることを特徴とする請求項１に記載の接点装置。
【請求項３】
前記アークランナーは、断面逆Ｕ字状に形成されていることを特徴とする請求項１又は２に記載の接点装置。
【請求項４】
前記アークランナーは、前記可動接触子の前記一対の固定接触子とは反対側の突出部が内方に傾斜されていることを特徴とする請求項１又は２に記載の接点装置。
【請求項５】
前記アークランナーは、前記可動接触子の前記一対の固定接触子とは反対側の突出部が外方に傾斜されていることを特徴とする請求項１又は２に記載の接点装置。
【請求項６】
前記アークランナーは、前記可動接触子の前記一対の固定接触子とは反対側の突出部が外方に突出延長されていることを特徴とする請求項１又は２に記載の接点装置。
【請求項７】
前記請求項１乃至請求項６の何れか１項に記載の接点装置を備え、前記可動接触子が電磁石装置の可動鉄心に連結され、前記固定接触子が外部接続端子に接続されていることを特徴とする電磁開閉器。
【発明の詳細な説明】
【技術分野】
【０００１】
本発明は、電流路に介挿された固定接触子及び可動接触子を備えた接点装置及びこれを使用した電磁開閉器に関し、固定接触子及び可動接触子の開極時すなわち電流遮断時に発生するアークを容易に消弧するようにしたものである。
【背景技術】
【０００２】
電流路の開閉を行う接点装置として、従来、電磁継電器や電磁接触器などでは、固定接触子及び可動接触子が接触している接点機構の閉成状態から電流を遮断して開成状態とするために可動接触子を固定接触子から離間させる開極時に発生するアークを消弧する接点機構が種々提案されている。
例えば、所定距離だけ離間して配設されたそれぞれ固定接点を有する一対の固定接触子と、これら一対の固定接触子に接離自在に配設された左右端に可動接点を有する可動接触子と、可動接触子を駆動する電磁石装置と、可動接触子及び固定接触子を収納する囲み部材とを備え、囲み部材の外側に可動接触子と平行にアーク消弧用の永久磁石を配置した電磁開閉装置が提案されている（例えば、特許文献１参照）。
【先行技術文献】
【特許文献】
【０００３】
【特許文献１】特開２００６−１９１４８号公報
【発明の概要】
【発明が解決しようとする課題】
【０００４】
しかしながら、上記特許文献１に記載された従来例にあっては、永久磁石の磁力によってアークを引き伸ばして消弧し易くなるものの、固定接触子に可動接触子が接触している投入状態から可動接触子を離間させる電流遮断時すなわち開極時に発生するアークの足は、永久磁石の磁力によって可動接触子の可動接点を消弧空間側へ移動する。移動したアークの足は可動接触子の角部に留まってアーク足から生じる金属蒸気等により電界強度低下が生じ、アークの再発弧が繰り返されるなど遮断性能が低下するという未解決の課題がある。
そこで、本発明は、上記従来例の未解決の課題に着目してなされたものであり、開極時に固定接触子及び可動接触子間に発生するアークを容易に消弧することができる接点装置及びこれを使用した電磁開閉器を提供することを目的としている。
【課題を解決するための手段】
【０００５】
上記目的を達成するために、本発明に係る接点装置の第１の態様は、消弧室内に所定間隔を保って固定配置された一対の固定接触子と、該一対の固定接触子に対して接離可能に配設された可動接触子と、前記固定接触子と前記可動接触子の開閉方向と直交し、且つ当該可動接触子の長手方向と直交する方向にアークを駆動させるアーク消弧用永久磁石とを備え、前記可動接触子に、前記一対の固定接触子から離間する開極時に発生するアークの足の当該固定接触子から離れる方向への移動を促進するアーク足移動促進部を形成し、前記アーク足移動促進部は、前記可動接触子の長手方向と直交する両側面から、前記一対の固定接触子側とは反対側に突出延長するアークランナーで構成されている。
【０００６】
この第１の態様によると、可動接触子が一対の固定接触子から離間する開極時に、可動接触子と一対の固定接触子との間にアークが発生する。このとき、可動接触子にアーク足移動促進部がアークランナーで構成されているので、このアークランナーによって発生したアークの足が角部に留まることなく固定接触子から離れる方向へ移動させることができる。したがって、アーク発生時の電界強度が大きくなり、アークの再発弧を抑制して遮断性能を向上させることができる。
【００１０】
また、本発明に係る接点装置の第２の形態は、前記アークランナーが、前記可動接触子の側面を覆うように形成されている。
この第２の態様によると、開極時に発生したアークの足が可動接触子の角部に達したときに、アークランナーを伝って下方に確実に移動されることになり、遮断性能を向上させることかできる。
また、本発明に係る接点装置の第３の形態は、前記アークランナーが、断面逆Ｕ字状に形成されている。
また、本発明に係る接点装置の第４の態様は、前記アークランナーが、前記可動接触子の前記一対の固定接触子とは反対側の突出部が内方に傾斜されている。
この第４の態様は、アークランナーの可動接触子における固定接触子とは反対側で内方に傾斜しているので、アークの足を可動接触子の下側に拡げることができ、アーク消弧スペースを拡大して容積の有効利用を行うことができる。
【００１１】
また、本発明に係る接点装置の第５の態様は、前記アークランナーが、前記可動接触子の前記一対の固定接触子とは反対側の突出部が外方に傾斜されている。
この第５の態様によると、アークランナーが可動接触子の下側で外方に傾斜されているので、アークの足を広がり易い方向へ延ばして、固定接触子のアーク足との距離を広げることができる。
また、本発明に係る接点装置の第６の態様は、前記アークランナーは、前記可動接触子の前記一対の固定接触子とは反対側の突出部が外方に突出延長されている。
この第６の態様によると、アークランナーによってアークの足を外側に広げて固定接触子のアーク足との距離を広げることができる。
【００１２】
また、本発明に係る電磁開閉器の第１の態様は、上記第１〜第９の態様の接点装置を備え、前記可動接触子が電磁石装置の可動鉄心に連結され、前記固定接触子が外部接続端子に接続されている。
この構成によると、簡単な構成で開極時に発生するアークを確実に消弧して遮断性能を向上することができる電磁開閉器を提供することができる。
【発明の効果】
【００１３】
本発明によれば、可動接触子に開極時に発生するアークの足を固定接触子から離れる方向に移動させるアーク足移動促進部を形成したので、開極時に発生したアークが可動接触子の角部に留まってアーク足間の電界強度がアーク電圧以下に低下してアーク足近傍の電極間に再点弧が発生することを確実に防止して遮断性能を向上させることができる。
また、上記効果を有する接点装置を電磁開閉器に適用することにより、簡易な構成で開極時に発生するアークを容易に消弧して遮断性能を向上することができる電磁接触器、電磁継電器等の電磁開閉器を提供することができる。
【図面の簡単な説明】
【００１４】
【図１】本発明を電磁接触器に適用した場合の第１の実施形態を示す断面図である。
【図２】図１のＡ−Ａ線上の模式的断面図である。
【図３】図１のＢ−Ｂ線上の断面図である。
【図４】アーク消弧用永久磁石によるアーク消弧の説明に供する説明図である。
【図５】本発明の第１の実施形態の変形例を示す模式的断面図である。
【図６】本発明の第１の実施形態の他の変形例を示す模式的断面図である。
【図７】本発明の第２の実施形態を示す模式的断面図である。
【図８】本発明の第２の実施形態の第１変形例を示す模式的断面図である。
【図９】本発明の第２の実施形態の第２変形例を示す模式的断面図である。
【図１０】本発明の第２の実施形態の第３変形例を示す模式的断面図である。
【図１１】本発明の第２の実施形態の第４変形例を示す模式的断面図である。
【図１２】本発明の第２の実施形態の第５変形例を示す模式的断面図である。
【発明を実施するための形態】
【００１５】
以下、本発明の実施の形態を図面に基づいて説明する。
図１は本発明の接点装置を電磁開閉器としての電磁接触器に適用した場合の一例を示す断面図である。この図１において、１は例えば合成樹脂製の外装ケースである。この外装ケース１は、下端面が開放された有底筒体１ａと、この有底筒体１ａの下端面を閉塞する底板１ｂとで構成されている。
外装ケース１内には、接点機構を配置した接点装置２と、この接点装置２を駆動する電磁石装置としての電磁石ユニット３とが電磁石ユニット３を底板１ｂ上に配置した関係で収納されている。
【００１６】
接点装置２は、図２及び図３とともに参照して明らかなように、消弧容器４を有する、この消弧容器４は、セラミックス、合成樹脂等で形成される下端を開放した桶状体４ａとその開放端面に密着固定された金属製の接合部材４ｂ、桶状体４ａの側面を覆う金属筒体４ｃとで構成されている。そして、接合部材４ｂが電磁石ユニット３の上部磁気ヨーク２２の上面にロー付け、溶接等によって気密状態で固定されている。
【００１７】
桶状体４ａの上面には、長手方向に所定間隔を保って断面円形の貫通孔５ａ，５ｂが設けられ、これら貫通孔５ａ，５ｂ内に例えば銅製の一対の固定接触子６ａ，６ｂが挿通されてロウ付けや接着剤等によって固定されている。
この固定接触子６ａ，６ｂのそれぞれは、上部側の大径頭部７とこの大径頭部７と同軸的に連接された下部側の小径円柱部８とで構成されている。
これら固定接触子６ａ，６ｂが小径円柱部８を桶状体４ａの貫通孔５ａ，５ｂ内に挿通した状態で桶状体４ａにロウ付けや接着剤等によって貫通孔５ａ，５ｂを密封するように固定されている。
【００１８】
また、接点装置２は、固定接触子６ａ，６ｂの小径円柱部８の下端面に比較的狭い所定のギャップを隔てて可動接触子１１が接離可能に対向配置されている。この可動接触子１１は、図２に示すように、少なくとも固定接触子６ａ，６ｂと対向する位置に平坦面１１ａが形成され、この平坦面１１ａの可動接触子１１の長手方向と直交する方向すなわち前後端部側にアーク足移動促進部１２が形成されている。このアーク足移動促進部１２は、平坦面１１ａの前後端部から可動接触子１１の前後端部に向かって厚みが徐々に薄くなる傾斜面すなわちテーパー面１２ａ，１２ｂで構成されている。
【００１９】
そして、可動接触子１１は接触子ホルダ１３に接触スプリング１４によって上方に付勢されて装着されている。接触子ホルダ１３は、後述する電磁石ユニット３の可動鉄心２５に連結されて上下方向に駆動される。
さらに、固定接触子６ａ，６ｂの大径頭部７には外部接続端子板１５ａ，１５ｂがビス止めされている。
また、桶状体４ａの可動接触子１１の長手方向と直交する側面に対向する内周面に図３に示すように、磁石収納筒部１６ａ及び１６ｂが形成され、これら磁石収納筒部１６ａ及び１６ｂ内にアーク消弧用永久磁石１７ａ及び１７ｂが収納されている。これらアーク消弧用永久磁石１７ａ及び１７ｂは、互いに対向する内周面側がＮ極に、外周面側がＳ極に着磁されている。
【００２０】
そして、磁石収納筒部１６ａ及び１６ｂの左右の空間がそれぞれアーク消弧空間１８ａ及び１８ｂとされている。
そして、桶状体４ａ、接合部材４ｂ及び金属筒体４ｃで構成される消弧容器４内に水素ガス、窒素ガス、水素及び窒素の混合ガス、空気、ＳＦ６等のガスが封入されている。
電磁石ユニット３は、側面から見てＵ字形状の磁気ヨーク２１を有し、この磁気ヨーク２１の底板部２１ａの中央部に下端を開放した円筒部２１ｂが形成されている。この磁気ヨーク２１の上面側が上部磁気ヨーク２２によって連接されている。
【００２１】
磁気ヨーク２１の円筒部２１ｂの外周面には励磁コイル２３を巻装したコイルホルダ２４が装着され、円筒部２１ｂの内周面には可動鉄心２５を摺動可能に内装した有底円筒状のキャップ２６が配設されている。このキャップ２６の底面には、可動鉄心２５の底面と接触して可動鉄心２５の下降時の衝撃を吸収するゴム座２７が配設されている。
可動鉄心２５には、中心部に連結軸２８が嵌合され、この連結軸２８の頭部が上部磁気ヨーク２２に形成された貫通孔２９を通じて上方に延長され、接触子ホルダ１３に連結されている。
【００２２】
また、可動鉄心２５の連結軸２８の周囲にスプリング挿通孔３０が形成され、このスプリング挿通孔３０と上部磁気ヨーク２２との間に可動鉄心２５を下方に付勢する復帰スプリング３１が装着されている。
次に、上記実施形態の動作を説明する。
今、外部接続端子板１５ａが例えば大電流を供給する電力供給源に接続され、外部接続端子板１５ｂが負荷に接続されているものとする。
【００２３】
この状態で、電磁石ユニット３における励磁コイル２３が非通電状態にあって、電磁石ユニット３で可動鉄心２５を可動させる励磁力を発生していないものとする。この状態では、可動鉄心２５が復帰スプリング３１によって、上部磁気ヨーク２２から離れる下方向に付勢されて、ゴム座２７に当接した状態となる。このため、可動鉄心２５に連結軸２８を介して連結された接触子ホルダ１３に支持された可動接触子１１は、固定接触子６ａ，６ｂの小径円柱部８の下端面から所定のギャップを挟んで対向しており、接点装置２が開極（釈放）状態となっている。
【００２４】
この接点装置２の開極状態から、電磁石ユニット３の励磁コイル２３に通電すると、この電磁石ユニット３で励磁力を発生させて、可動鉄心２５を復帰スプリング３１に抗して上方に押し上げる。これに応じて、可動鉄心２５に連結軸２８を介して連結されている接触子ホルダ１３が上方に移動し、可動接触子１１が固定接触子６ａ，６ｂの小径円柱部８の底面に接触スプリング１４の接触圧で接触する。
このため、外部電力供給源の大電流ｉが外部接続端子板１５ａ、固定接触子６ａ、可動接触子１１、固定接触子６ｂ及び外部接続端子板１５ｂを通じて負荷に供給される閉極（投入）状態となる。
この接点装置２の閉極状態から、負荷への電流供給を遮断する場合には、電磁石ユニット３の励磁コイル２３への電圧印加を停止する。
【００２５】
これによって、電磁石ユニット３で可動鉄心２５を上方に移動させる励磁力がなくなることにより、可動鉄心２５が復帰スプリング３１の付勢力によって下降する。この可動鉄心２５が下降することにより、連結軸２８を介して連結された接触子ホルダ１３が下降し、これに応じて接触スプリング１４で接触圧を与えている間は可動接触子１１が固定接触子６ａ，６ｂに接触している。その後、接触スプリング１４の接触圧がなくなった時点で可動接触子１１が固定接触子６ａ，６ｂから下方に離間する開極開始状態となる。
【００２６】
この開極開始状態となると、固定接触子６ａ，６ｂと可動接触子１１との間にアークが発生する。このとき、アーク消弧用永久磁石１７ａ及び１７ｂの対向磁極面がＮ極であり、その外側がＳ極であるので、このＮ極が出た磁束が、平面から見て図４（ａ）に示すように、各アーク消弧用永久磁石１７ａ及び１７ｂ、固定接触子６ａと可動接触子１１との対向部のアーク発生部を可動接触子１１の長手方向に内側から外側に横切ってＳ極に達して磁界が形成される。
【００２７】
同様に、固定接触子６ｂの接点部と可動接触子１１の接点部のアーク発生部を可動接触子１１の長手方向に内側から外側に横切ってＳ極に達して磁界が形成される。
したがって、アーク消弧用永久磁石１７ａ及び１７ｂの磁束がともに固定接触子６ａ及び可動接触子１１間と、固定接触子６ｂ及び可動接触子１１間を可動接触子１１の長手方向で互いに逆方向に横切ることになる。
【００２８】
このため、固定接触子６ａと可動接触子１１との間では、図４（ｂ）に示すように、電流Ｉが固定接触子６ａ側から可動接触子１１側に流れるとともに（上面側へ）、磁束Φの向きが内側から外側に向かう左方向となる。このため、フレミングの左手の法則によって、図４（ｃ）に示すように、可動接触子１１の長手方向と直交し且つ固定接触子６ａと可動接触子１１との開閉方向と直交してアーク消弧空間１８ｂ側に向かう大きなローレンツ力Ｆが作用する。
【００２９】
このローレンツ力Ｆによって、固定接触子６ａと可動接触子１１との間に発生したアークが、固定接触子６ａの側面からアーク消弧空間１８ｂ内を通って可動接触子１１の下面側に達するように大きく引き伸ばされて消弧される。
また、消弧空間１８ｂでは、その下方側及び上方側で、固定接触子６ａ及び可動接触子１１間の磁束の向きが均等であり、アークの伸長により、電流向きが異なる。このため、電流の向きによって、アーク消弧空間１８ｂに引き伸ばされたアークがアーク消弧空間１８ｂの隅の方向へさらに広がるように引き伸ばされ、アーク長を長くすることができ、良好な遮断性能を得ることができる。
【００３０】
一方、固定接触子６ｂと可動接触子１１との間では、図４（ｂ）に示すように、電流Ｉが可動接触子１１側から固定接触子６ｂ側に流れるとともに手前に向かって流れ、磁束Φの向きが内側から外側に向かう右方向となる。このため、フレミングの左手の法則によって、可動接触子１１の長手方向と直交し且つ固定接触子６ｂと可動接触子１１との開閉方向と直交してアーク消弧空間１８ｂ側に向かう大きなローレンツ力Ｆが作用する。
【００３１】
このローレンツ力Ｆによって、固定接触子６ｂと可動接触子１１との間に発生したアークが、可動接触子１１の上面側からアーク消弧空間１８ｂ内を通って固定接触子６ｂの側面側に達するように大きく引き伸ばされて消弧される。
また、アーク消弧空間１８ｂでは、上述したように、その下方側及び上方側で、固定接触子６ｂ及び可動接触子１１間の磁束の向きが均等であり、アークの伸長によって、電流の向きが異なる。このため、電流の向きによってアーク消弧空間１８ｂに引き伸ばされたアークがアーク消弧空間１８ｂの隅の方向へさらに引き伸ばされ、アーク長を長くすることができ、良好な遮断性能を得ることができる。
【００３２】
一方、電磁接触器１０の閉極（投入）状態で、負荷側から直流電源側に回生電流が流れている状態で、釈放状態とする場合には、前述した図４（ｂ）における電流の方向が逆となることから、ローレンツ力Ｆがアーク消弧空間１８ａ側に作用し、アークがアーク消弧空間１８ａ側に引き伸ばされることを除いては同様の消弧機能が発揮される。
【００３３】
このとき、アーク消弧用永久磁石１７ａ及び１７ｂは絶縁筒体４の桶状体４ａに形成された磁石収納筒部１６ａ及び１６ｂ内に配置されているので、アークが直接アーク消弧用永久磁石１７ａ及び１７ｂに接触することがない。このため、アーク消弧用永久磁石１７ａ及び１７ｂの磁気特性を安定して維持することができ、遮断性能を安定化させることができる。
そして、可動接触子１１が固定接触子６ａ及び６ｂから離間し始めてアークが発生すると、前述したようにアーク消弧用永久磁石１７ａ及び１７ｂの磁力によって、アークが電流の向きによって消弧空間１８ａ又は１８ｂに引き伸ばされる。
【００３４】
このとき、可動接触子１１の側面側にはアーク足移動促進部１２が形成されている。このため、アークがアーク消弧用永久磁石１７ａ及び１７ｂの磁力によってアーク消弧空間１８ａ又は１８ｂに引き伸ばされる際に、可動接触子１１に形成されたテーパー面１２ａ又は１２ｂにより、アークの足が固定接触子６ａ及び６ｂに対向する位置からテーパー面１２ａ又は１２ｂに沿って外側で且つ下方に移動することになる。したがって、可動接触子１１のテーパー面１２ａ又は１２ｂのアークの足と固定接触子６ａ及び６ｂに形成されているアークの他方の足との距離が離れることになり、金属蒸気等の影響を受けることがなく電界強度が高まる。このため、可動接触子１１のアーク足の近傍の電極間に再発弧が発生することを確実に防止することができ、遮断性能を向上させることができる。
【００３５】
因みに、可動接触子１１にテーパー面１２ａ及び１２ｂが形成されていない平坦面であるものとすると、可動接触子１１と固定接触子６ａ及び６ｂとの間に発生したアークの可動接触子１１側のアークの足がアーク消弧用永久磁石１７ａ及び１７ｂの磁力によって消弧空間１８ａ側に引き伸ばされたときに、平坦面と側面との角部に留まってしまう。このため、固定接触子６ａ及び６ｂのアークの足との距離が短いままに留まると、金属蒸気等によりアーク足間の電界強度がアーク電圧以下に低下することがある。この結果、アーク足近傍の電極間に再発弧が発生して遮断性能が低下する。
【００３６】
このとき、可動接触子１１の下側の消弧空間を大きくとることにより、アーク足が可動接触子１１の固定接触子６ａ及び６ｂの反対側の面に移動し易くなるとともに、伸長しやすくなるので遮断性能をより向上させることができる。
このように、上記第１の実施形態によると、可動接触子１１の長手方向と直交する側面側にテーパー面１２ａ及び１２ｂでなるアーク足移動促進部１２を形成したので、可動接触子１１が固定接触子６ａ及び６ｂから離間する開極時に発生するアークの可動接触子側の足をテーパー面１２ａ（又は１２ｂ）に沿って容易に移動させることができる。このため、可動接触子１１と固定接触子６ａ及び６ｂとの間に生じるアーク足間の距離を長くして電界強度が高まり、再発弧を防止してアークの消弧を早め遮断性能を向上させることができる。
【００３７】
さらに、アークの消弧が的確に行われることにより、固定接触子６ａ，６ｂと可動接触子１１との間のギャップを狭くすることが可能となり、電流を遮断する開極時間を短縮することができる。
なお、上記第１の実施形態においては、固定接触子６ａ，６ｂの可動接触子１１と対向する部位を小径円柱部８とした場合について説明したが、これに限定されるものではなく、図５に示すように、固定接触子６ａ及び６ｂの可動接触子１１と対向する接点部を球面状又は円筒面状の湾曲面４１に形成するようにしてもよい。この場合には、固定接触子６ａ及び６ｂ側でもアークの足が上方側に移動することになり、アーク足間の距離をより長くすることができ、より確実にアークを消弧して遮断性能をより向上させることができる。
【００３８】
また、上記第１の実施形態においては、アーク足移動促進部１２をテーパー面１２ａ，１２ｂに形成する場合について説明したが、これに限定されるものではなく、図６に示すように、円筒面の一部を形成する円弧状湾曲面４２ａ及び４２ｂとするようにしてもよい。この場合には、アーク足が円弧状湾曲面４１ａ及び４１ｂに沿って外側に移動するに従い、固定接触子６ａ及び６ｂのアークの足との距離をより長くすることができ、遮断性能をより向上させることができる。
【００３９】
次に、本発明の第２の実施形態を図７について説明する。
この第２の実施形態では、アーク足移動促進部として傾斜面に代えてアークランナーを設けるようにしたものである。
すなわち、第２の実施形態では、図７に示すように、断面長方形の可動接触子１１の長手方向と直交する方向の側面を覆い、可動接触子１１の下面より下方に延長するアークランナー５１ａ及び５２ｂを固定している。ここで、アークランナー５１ａ及び５１ｂのそれぞれは、タングステン（Ｗ）や銀（Ａｇ）等の耐アーク性を有するものや、銅（Ｃｕ）などの電導性を有する金属材料で形成してもよい。
【００４０】
その他の構成については、前述した第１の実施形態と同様の構成を有し、図２との対応部分には同一符号を付し、その詳細説明はこれを省略する。
この第２の実施形態によると、前述した第１の実施形態と同様に、可動接触子１１が固定接触子６ａ及び６ｂから離間する開極時に、可動接触子１１及び固定接触子６ａ及び６ｂ間に発生するアークがアーク消弧用永久磁石１７ａ及び１７ｂの磁力によってアーク消弧空間１８ａ（又は１８ｂ）側に引き伸ばされる。
【００４１】
このとき、可動接触子１１側のアークの足は、アーク消弧空間１８ａ（又は１８ｂ）側に引き伸ばされるに応じて側面のアークランナー５１ａ（又は５１ｂ）側に移動し、アークの足がアークランナー５１ａ（又は５１ｂ）に達すると、このアークランナー５１ａ（又は５１ｂ）に沿って速やかに下方に移動することになる。このため、アークの足が可動接触子１１の側面の角部に留まることがなく、固定接触子６ａ及び６ｂのアークの足との距離を長くして金属蒸気等による電界強度の低下を防止することができる。したがって、アークを容易に消弧し、遮断性能を向上させることができる。
【００４２】
なお、上記第２の実施形態においては、アークランナー５１ａ及び５１ｂを可動接触子１１の側面を覆うように形成した場合について説明しが、これに限定されるものではなく、両アークランナー５１ａ及び５１ｂの上端部を連結部５１ｃで連結して断面逆Ｕ字状に形成してもよい。この場合には、可動接触子１１の固定接触子６ａ及び６ｂとの対向面に前後方向に延長する溝部５２を形成し、この溝部５２に連結部５１ｃを係合させて固定する。このように、アークランナーを逆Ｕ字状に形成することにより、連結部５１ｃでのアークの足の移動をスムーズに行うことができるとともに、可動接触子１１への固定を容易に行うことができる。
【００４３】
また、図９に示すように、逆Ｕ字状に形成したアークランナー５３を可動接触子１１の下面側に固定するようにしてもよい。この場合でも、アークがアーク消弧用永久磁石１７ａ及び１７ｂによって引き伸ばされて、可動接触子１１の側面側の端部に到達したときに、アークの足が端部に留まることなく、下面側に形成されたアークランナー５３に引き寄せられる。このため、可動接触子１１側のアークの足と、固定接触子６ａ及び６ｂのアークの足との距離を長くして、アークの足間の電界強度を高め遮断性能を向上させることができる。
【００４４】
さらには、図１０に示すように、可動接触子１１の下面側のアークランナー５４ａ及び５４ｂを内側に折り曲げて内側に傾斜させるようにしてもよい。この場合には、可動接触子１１のアークの足を可動接触子１１の下面側に移動させることができ、可動接触子１１の下側をアーク消弧空間として使用することが可能となり、アークの引き延ばし長さを長くして消弧を容易とするとともに、容積の有効利用を図ることができる。
【００４５】
また、図１１に示すように、図１０とは逆に可動接触子１１の下側のアークランナー５５ａ及び５５ｂを外側に折り曲げて外側に傾斜させるようにしてもよい。この場合には、可動接触子１１の下面側でアークの広がり易い方向にアーク足を移動させることができる。アーク足の移動を確実に行ってアークの消弧を容易に行うことができる。
さらに、図１２に示すように、可動接触子１１の下側のアークランナー５６ａ及び５６ｂを直角方向に外側に折り曲げて外方に突出させるようにしてもよい。この場合にも図１１と同様に、可動接触子１１の下面側でアークの広がり易い方向にアーク足を移動させることができ、アーク足の移動を確実に行ってアークの消弧を容易に行うことができる。
【００４６】
また、上記第２の実施形態においても、前述した第１の実施形態と同様に、固定接触子６ａ及び６ｂの可動接触子１１との対向面を球面形状又は円筒面形状に形成するようにしてもよい。
また、上記第１及び第２の実施形態においては、アーク消弧用永久磁石１７ａ及び１７ｂを桶状体４ａの内側に配置した場合について説明したが、これに限定されるものではなく、アーク消弧用永久磁石１７ａ及び１７ｂを桶状体４ａの外側に可動接触子１１と平行に配置するようにしてもよい。
【００４７】
また、上記第１及び第２の実施形態では、消弧容器４を桶状体４ａ、接合部材４ｂ及び金属筒体４ｃで構成する場合について説明したが、これに限定されるものではなく、金属製の桶状体の内側に絶縁筒体を配置するようにしてもよく、任意の構成とすることができる。
さらに、上記第１及び第２の実施形態においては、消弧容器４にガスを封入する場合について説明したが、これに限定されるものではなく、遮断する電流値が少ない場合にはガスの封入を省略することができる。
【００４８】
また、上記第１及び第２の実施形態においては、可動接触子１１の形状が長手方向に平板状に形成されている場合について説明したが、これに限定されるものではなく、可動接触子１１の固定接触子６ａ，６ｂに対向する接点部間の中央部を凹状又は凸状に形成するようにしてもよい。
さらに、上記第１及び第２の実施形態においては、可動接触子１１が固定接触子６ａ及び６ｂに下側から対向する場合について説明したが、これに限定されるものではなく、固定接触子６ａ及び６ｂの接点部を消弧容器４の下側に配置し、これら接点部に対して上側から可動接触子１１を対向させるようにしてもよい。
【００４９】
さらに、電磁石ユニット３の構成も上記実施形態に限定されるものではなく、接触子ホルダ１３を電磁力で可動させることができれば任意の構成を適用することができる。
さらに、上記実施形態においては、本発明の接点装置２を電磁接触器に適用した場合について説明したが、これに限定されるものではなく、電磁継電器や他の電磁開閉器を含む任意の開閉器に適用することができる。
【符号の説明】
【００５０】
１…外装ケース、２…接点装置、３…電磁石ユニット、４…消弧容器、４ａ…桶状体、４ｂ…接合部材、４ｃ…金属筒体、６ａ，６ｂ…固定接触子、１１…可動接触子、１２…アーク足移動促進部、１２ａ，１２ｂ…テーパー面、１３…接触子ホルダ、１４…接触スプリング、１５ａ，１５ｂ…外部接続端子板、２１…磁気ヨーク、２２…上部磁気ヨーク、２３…励磁コイル、２４…コイルホルダ、２５…可動鉄心、２６…キャップ、２８…連結軸、３１…復帰スプリング、５１ａ，５１ｂ…アークランナー、５１ｃ…連結部、５３…アークランナー、５４ａ，５４ｂ、５５ａ、５５ｂ、５６ａ，５６ｂ…アークランナー
【図１】
0005990028.tif 000002
【図２】
0005990028.tif 000003
【図３】
0005990028.tif 000004
【図４】
0005990028.tif 000005
【図５】
0005990028.tif 000006
【図６】
0005990028.tif 000007
【図７】
0005990028.tif 000008
【図８】
0005990028.tif 000009
【図９】
0005990028.tif 000010
【図１０】
0005990028.tif 000011
【図１１】
0005990028.tif 000012
【図１２】
0005990028.tif 000013